(57)【要約】  本発明は、遊休状態のユーザ機器のページングのためのソリューションに関する。より具体的には、本発明は、効率的なやり方で遊休状態から接続状態へモード状態を変更するためのソリューションに関する。これは、アクセスポイントネーム、サービス品質クラス指標、ＩＭＳＩ番号、及びＩＭＥＩ番号についての選択基準エントリを示すフレームワークテーブルに関連する適切なページングメッセージを決定し、ページングエリア、ページング再試行数、及び再送信間隔についてのエントリを含む粒度テーブルからページング要求で使用するために設定されるページング粒度を、フレームワークテーブルから決定するように構成される、方法、ノード並びにシステムにおいて提供される。【選択図】図１
2013504234.tif 000002
【特許請求の範囲】
【請求項１】
通信ネットワーク（１００）と無線で（１０８）通信するユーザ機器（１０１）のページングを処理する方法であって：
移動性管理ノード（１０５、１０９）において、少なくとも１つのベアラＩＤについての情報を含むダウンリンクデータ通知をサービングゲートウェイ（１０６）から受信するステップと；
移動性管理ノードにおいて、前記ベアラＩＤと、アクセスポイントネーム、サービス品質クラス指標、ＩＭＳＩ番号、及びＩＭＥＩ番号についての選択基準エントリを含むフレームワークテーブルとに基づいて、ページング要求を決定し、ページングエリア、ページング再試行数、及び再送信間隔についてのエントリを含む粒度テーブルから前記ページング要求で使用するために設定されるページング粒度を、前記フレームワークテーブルから決定するステップと；
前記ページング要求を移動性管理ノードから無線アクセスネットワークノード（１０３）へ送信するステップと；
を含む方法。
【請求項２】
前記ページングエリアは、ｅＮＢ、トラッキングエリア、トラッキングエリアリストの一部、及びトラッキングエリアリストのうちの少なくとも１つを含む、請求項１に記載の方法。
【請求項３】
前記ダウンリンクデータ通知は、ユーザ機器の状態が遊休モードから接続モードへと変更されるべきであることを示す、請求項１に記載の方法。
【請求項４】
前記ダウンリンクデータ通知は、前記ベアラＩＤとともに情報要素を含む、請求項１に記載の方法。
【請求項５】
前記移動性管理ノードは、移動性管理エンティティ、即ちＭＭＥ（１０５）、又はサービングＧＰＲＳサポートノード、即ちＳＧＳＮ（１０９）のうちの少なくとも１つである、請求項１に記載の方法。
【請求項６】
前記フレームワークテーブルは、割り当て及び保持の優先度のエントリをさらに含む、請求項１に記載の方法。
【請求項７】
前記無線アクセスネットワークノードはｅＮｏｄｅＢである、請求項１に記載の方法。
【請求項８】
無線通信ネットワーク（１００）内のユーザ機器（１０１）のページング手順において使用される移動性管理ノード（１０５、１０９）において：
プロセッサ（４０１）と；
コンピュータに読み取り可能なメモリ（４０２）と；
通信インターフェース（４０４）と；
を備え、
前記プロセッサは、前記メモリに記憶され、前記通信インターフェースを使用する命令セットであって、
少なくとも１つのベアラＩＤについての情報を含むダウンリンクデータ通知メッセージをサービングゲートウェイ（１０６）から受信し、
アクセスポイントネーム、サービス品質クラス指標、ＩＭＳＩ番号、及びＩＭＥＩ番号についての選択基準エントリを含むフレームワークテーブルに基づいて、ページング要求を決定し、ページングエリア、ページング再試行数、及び再送信間隔についてのエントリを含む粒度テーブルから前記ページング要求で使用するために設定されるページング粒度を、前記フレームワークテーブルから決定し、
前記ページング要求を無線アクセスネットワークノード（１０３）へ送信する
ための前記命令セットを実行するように構成される、
移動性管理ノード。
【請求項９】
前記移動性管理ノードは、移動性管理エンティティ、即ちＭＭＥ（１０５）、又はサービングＧＰＲＳサポートノード、即ちＳＧＳＮ（１０９）のうちの少なくとも１つである、請求項８の移動性管理ノード。
【請求項１０】
移動性管理ノード（１０５、１０９）の中のコンピュータに読み取り可能な記憶媒体に記憶されるコンピュータプログラムであって：
少なくとも１つのベアラＩＤについての情報を含むダウンリンクデータ通知メッセージをサービングゲートウェイ（１０６）から受信し；
前記ベアラＩＤと、アクセスポイントネーム、サービス品質クラス指標、ＩＭＳＩ番号、及びＩＭＥＩ番号についての選択基準エントリを含むフレームワークテーブルとに基づいて、ページング要求を決定し、ページングエリア、ページング再試行数、及び再送信間隔についてのエントリを含む粒度テーブルから前記ページング要求で使用するために設定されるページング粒度を、前記フレームワークテーブルから決定し；
前記ページング要求を無線アクセスネットワークノード（１０３）へ送信する；
ための命令セットを含む、コンピュータプログラム。
【請求項１１】
無線通信ネットワーク内のユーザ機器のページングにおいて使用されるサービングゲートウェイノード（１０６）において：
プロセッサ（４０１）と；
コンピュータに読み取り可能なメモリ（４０２）と；
通信インターフェース（４０４）と；
を備え、
前記プロセッサは、前記メモリに記憶され、前記通信インターフェースを使用する命令セットであって、
ダウンリンクデータ通知メッセージが移動性管理ノード（１０５、１０９）へ送信されるべきであると決定し、
前記ダウンリンクデータ通知メッセージの中にＩＤ拡張の情報要素を提供し、
前記ダウンリンクデータ通知メッセージを前記移動性管理ノード（１０５、１０９）へ送信する
ための前記命令セットを実行するように構成される、
サービングゲートウェイノード。
【請求項１２】
前記ＩＤ拡張は、進化したパケットシステムのベアラＩＤである、請求項１１に記載のサービングゲートウェイノード。
【請求項１３】
前記ダウンリンクデータ通知メッセージは、前記サービングゲートウェイノードと移動性管理エンティティ、即ちＭＭＥ（１０５）との間のＳ１１インターフェース上で送信される、請求項１１に記載のサービングゲートウェイノード。
【請求項１４】
前記ダウンリンクデータ通知メッセージは、前記サービングゲートウェイノードとサービングＧＰＲＳサポートノード、即ちＳＧＳＮ（１０９）との間のＳ４インターフェース上で送信される、請求項１１に記載のサービングゲートウェイノード。
【請求項１５】
無線通信ネットワーク（１００）におけるシステム（３００）であって：
ユーザ機器との無線通信を処理するアクセスゲートウェイノード（１０３）と；
前記アクセスゲートウェイノードと通信する、請求項８に記載の移動性管理ノード（１０５）と；
前記移動性管理ノードと通信する、請求項１１に記載のサービングゲートウェイノード（１０６）と；
を含むシステム。
【発明の詳細な説明】
【技術分野】
【０００１】
本発明は、遊休状態のユーザ機器のページングのためのソリューションに関する。より具体的には、本発明は、効率的なやり方で遊休状態から接続状態へモード状態を変更するためのソリューションに関する。
【背景技術】
【０００２】
ＥＰＣ（Evolved  Packet  Core）ネットワークでは、加入者の数が増える場合に、産業からの要求を満たすために可能な全ての最適化が必要である。
【０００３】
ＥＰＳ接続管理のＥＣＭ遊休状態（ECM-lDLE  state）から、ユーザ機器（ＵＥ）がダウンリンクペイロードを受信できることを意味するＥＣＭ接続状態（ECM-Connected）へ、ＵＥを変えるための提案手法（例えば、３ＧＰＰ  ＴＳ２３．４０１を参照）は、これをＵＥのレベルで行うことである。これは、異なるページング手順をサービスレベルで開始することを不可能にするであろう。
【０００４】
２３．４０１  ｖ８．５．０から、全体の手順は、図２において説明されるようにみえる。
【０００５】
移動性管理エンティティ（ＭＭＥ）が、例えば、ＥＣＭ遊休モードのＵＥについてのＭＭＥ／ＨＳＳ開始分離手順（MME/HSS-initiated  detach  procedure）を実行するために、ＵＥがＥＣＭ遊休状態であることを、ＵＥとシグナリングする必要がある場合、又は、サービングゲートウェイ（ＳＧＷ）が、制御シグナリング（例えば、専用ベアラ生成要求（Create  Dedicated  Bearer  Request）若しくは専用ベアラ変更要求（Modify  Dedicated  Bearer  Request））を受信する場合に、ＭＭＥは、ステップ２０６から、ネットワークによりトリガされるサービス要求手順を始める。
【０００６】
遊休モードシグナリング削減（ＩＳＲ）が有効化されると、ＵＥについてのＳＧＷが専用ベアラ生成要求又はベアラ変更要求をＳＧＷが受信し、また、ＳＧＷがダウンリンクＳ１−Ｕを有さず、ＵＥがＰＭＭ遊休状態又はスタンバイ状態に変わったことをＳＧＳＮがＳＧＷに通知した場合に、ＳＧＷは、シグナリングメッセージをバッファリングし、ＵＥへページングを行うようにＭＭＥ及びＳＧＳＮをトリガする。この場合に、ＳＧＷは、ＵＥによりトリガされるサービス要求手順に基づいて、最新の無線アクセス技術（ＲＡＴ）の種類を通知される。ＳＧＷは、専用ベアラ有効化手順又は専用ベアラ変更手順を実行し続ける。即ち、ＳＧＷは、対応するバッファリングされたシグナリングを、ＵＥが現在属するＭＭＥ又はＳＧＳＮへ送信し、最後に報告されたＲＡＴの種類と比べてＲＡＴの種類が変更された場合に、最新のＲＡＴの種類をパケットデータネットワークゲートウェイ（ＰＧＷ）に通知する。動的なポリシー及び課金制御（ＰＣＣ）が配置される場合に、最新のＲＡＴの種類の情報は、また、ＰＧＷからポリシー及び課金ルール機能（ＰＣＲＦ）へ伝達されるべきである。ＰＣＲＦの応答がＥＰＳベアラ変更につながる場合に、ＰＧＷは、ベアラ更新手順を開始すべきである。
【０００７】
１つの特定のＵＥについて異なるページング手順を開始することができない、又は、ＵＥに到達することを保証できるようにＭＭＥはかなり広いエリアにページングを行わなければならないので、ＭＭＥにおいて処理の負荷が増大する等、既存のソリューションにはいくつかの問題がある。
【発明の概要】
【０００８】
したがって、これらの問題に対処するソリューションを提供することが、本発明の目的である。これは、いくつかの形態の中で提供される。第１の形態は、通信ネットワークと無線で通信するユーザ機器のページングを処理する方法である。当該方法は、移動性管理エンティティ（ＭＭＥ）において実行される。まず、当該ＭＭＥは、少なくとも１つのベアラＩＤについての情報を含むダウンリンクデータ通知をサービングゲートウェイから受信する。さらに、上記ＭＭＥは、上記ベアラＩＤと、アクセスポイントネーム、サービス品質クラス指標、ＩＭＳＩ番号、及びＩＭＥＩ番号についての選択基準エントリを含むフレームワークテーブルとに基づいて、ページング要求を決定し、ページングエリア、ページング再試行数、及び再送信間隔についてのエントリを含む粒度テーブルから上記ページング要求で使用するために設定されるページング粒度を、上記フレームワークテーブルから決定する。最後に、上記ＭＭＥは、上記ページング要求を無線アクセスネットワークノードへ送信する。
【０００９】
上記ページングエリアは、ｅＮＢ、トラッキングエリア、トラッキングエリアリストの一部、及びトラッキングエリアリストのうちの少なくとも１つを含んでもよい。また、上記ダウンリンクデータ通知は、ユーザ機器の状態が遊休モードから接続モードへと変更されるべきであることを示してもよい。上記ダウンリンクデータ通知は、上記ベアラＩＤとともに情報要素を含んでもよい。
【００１０】
上記移動性管理ノードは、移動性管理エンティティ（ＭＭＥ）、又はサービングＧＰＲＳサポートノード（ＳＧＳＮ）のうちの少なくとも１つであってもよい。
【００１１】
上記フレームワークテーブルは、割り当て及び保持の優先度のエントリをさらに含んでもよい。上記無線アクセスネットワークノードはｅＮｏｄｅＢであってもよい。
【００１２】
本発明の別の形態、即ち無線通信ネットワーク内のユーザ機器のページング手順において使用される移動性管理ノードが、提供される。上記ノードは、プロセッサ、コンピュータに読み取り可能なメモリ、及び通信インターフェースを備え得る。上記プロセッサは、上記メモリに記憶され、上記通信インターフェースを使用する命令セットであって、少なくとも１つのベアラＩＤについての情報を含むダウンリンクデータ通知をサービングゲートウェイから受信し、アクセスポイントネーム、サービス品質クラス指標、ＩＭＳＩ番号、及びＩＭＥＩ番号についての選択基準エントリを含むフレームワークテーブルに基づいて、ページング要求を決定し、ページングエリア、ページング再試行数、及び再送信間隔についてのエントリを含む粒度テーブルから上記ページング要求で使用するために設定されるページング粒度を、上記フレームワークテーブルから決定し、上記ページング要求を無線アクセスネットワークノードへ送信するための上記命令セットを実行するように構成され得る。
【００１３】
本発明のさらに別の形態、即ち移動性管理エンティティの中のコンピュータに読み取り可能な記憶媒体に記憶されるコンピュータプログラムが、提供される。当該コンピュータプログラムは、少なくとも１つのベアラＩＤについての情報を含むダウンリンクデータ通知をサービングゲートウェイから受信し、上記ベアラＩＤと、アクセスポイントネーム、サービス品質クラス指標、ＩＭＳＩ番号、及びＩＭＥＩ番号についての選択基準エントリを含むフレームワークテーブルとに基づいて、ページング要求を決定し、ページングエリア、ページング再試行数、及び再送信間隔についてのエントリを含む粒度テーブルから上記ページング要求で使用するために設定されるページング粒度を、上記フレームワークテーブルから決定し、上記ページング要求を無線アクセスネットワークノードへ送信するための命令セットを含み得る。
【００１４】
無線通信ネットワーク内のユーザ機器のページングにおいて使用されるサービングゲートウェイノードが、ＭＭＥと通信する。上記ノードは、プロセッサ、コンピュータに読み取り可能なメモリ、及び通信インターフェースを備え得る。上記プロセッサは、上記メモリに記憶され、上記通信インターフェースを使用する命令セットであって、ダウンリンクデータ通知メッセージが移動性管理ノードへ送信されるべきであると決定し、上記ダウンリンクデータ通知メッセージの中にＩＤ拡張の情報要素（identification  extension  information  element）を提供し、上記ダウンリンクデータ通知メッセージを上記移動性管理ノードへ送信するための上記命令セットを実行するように構成され得る。上記ＩＤ拡張（identification  extension）は、進化した（evolved）パケットシステムのベアラＩＤであってもよい。上記ダウンリンクデータ通知メッセージは、上記サービングゲートウェイノードと移動性管理エンティティ、即ちＭＭＥとの間のＳ１１インターフェース上で送信されてもよい。及び／又は、上記ダウンリンクデータ通知メッセージは、上記サービングゲートウェイノードとサービングＧＰＲＳサポートノード、即ちＳＧＳＮとの間のＳ４インターフェース上で送信されてもよい。
【００１５】
さらに、無線通信ネットワーク内での使用のための本発明に従ったシステムが提供される。当該システムは、ユーザ機器との無線通信を処理するアクセスゲートウェイノードと、上記アクセスゲートウェイノードと通信する上述したような移動性管理ノードと、上記移動性管理ノードと通信する上述したようなサービングゲートウェイノードとを含み得る。
【００１６】
本発明の上述した形態で、ページングの区別が提供される。この文書は、ＭＭＥとｅＮｏｄｅＢ等の無線アクセスネットワークノードとの間のページングに関連するソリューションをどのように実装すべきかの例を示す。本発明は、ソリューションの中の２つの部分を提供する。第１に、異なる基準及びシナリオに応じて各ＵＥにどのようにページングを行うべきかを処理するＭＭＥにおいて、フレームワークが生成される。第２に、ＳＧＷとＭＭＥとの間のメッセージプロトコルが拡張されて、フレームワークを決定するための情報が含まれる。
【００１７】
これは、情報要素（ＩＥ）を所有者の構成に導入することにより、又は、ダウンリンクデータ通知に関連する既存のＩＥへの拡張を追加することにより、解決される。
【００１８】
本発明に従ったソリューションには、
−柔軟なページング手順の処理；
−エア上でのシグナリング負荷を最小化する可能性；
−ネットワーク内のシグナリング負荷を最小化する可能性；及び
−ＭＭＥ内の処理負荷を最小化する可能性
を提供する等、いくつかの有利な点がある。
【図面の簡単な説明】
【００１９】
以下では、同封の図面の中で説明される例示的な実施形態を参照して、限定せずにより詳細に、本発明を説明する。
【図１】本発明に従ったネットワークを概略的に説明する。
【図２】本発明に従った方法をシグナリング図において概略的に説明する。
【図３】本発明に従ったインターフェースとともにネットワークアーキテクチャを概略的に説明する。
【図４】本発明に従った装置を概略的に説明する。
【発明を実施するための形態】
【００２０】
図１では、参照番号１００は、概して、本発明に従ったネットワークを示す。基盤ネットワーク１０４は、ユーザ機器１０１（ＵＥ）への、又はＵＥ１０１からの制御トラフィック及びデータトラフィックを処理するために、基盤エンティティを相互に接続する。ＵＥは、ｅＮｏｄｅＢ１０３を介してＥＵＴＲＡＮに基づくネットワークに無線で接続され、ＧＥＲＡＮ又はＵＴＲＡＮに基づくネットワークにＲＮＣ／ＢＳＣ１０２を介して無線で（１０８）接続され得る。例えば移動性管理エンティティ（ＭＭＥ）１０５及び／又はサービングＧＰＲＳサポートノード（ＳＧＳＮ）１０９のような、移動性管理ノードが提供される。例えばＧＧＳＮ１１０及び／又はパケットデータネットワークゲートウェイ（ＰＧＷ）１０７のような、ゲートウェイ処理ノードも提供される。さらに、サービングゲートウェイ（ＳＧＷ）１０６も提供され得る。
【００２１】
図２は、遊休モードから接続モードにＵＥを変えるためのシグナリングフローを説明する。ページングの区別を導入するために、この文書の中で後に説明されるように、ステップ２０６が対処される。フローは、以下のとおりである。
【００２２】
２０１．ＳＧＷが、ユーザプレーンで接続されていないものとして知られるＵＥについてのダウンリンクデータパケットを受信する場合（即ち、ＳＧＷコンテキストデータが、いずれのダウンリンクユーザプレーンのトンネル端点識別子（ＴＥＩＤ）も示さない場合）に、ＳＧＷは、ダウンリンクデータパケットをバッファリングし、どのＭＭＥ又はＳＧＳＮがそのＵＥにサービスを提供しているかを識別する。
【００２３】
ＭＭＥが、ダウンリンク（ＤＬ）データ通知（ＤＤＮ）を送信することを遅らせるようにＳＧＷに要求した場合には（ＴＳ  ２３．４０１  ｖ９．１．０の中の“Handling  of  abnormal  conditions  in  UE  triggered  Service  Request”の５．３．４．２節を参照）、ＳＧＷは、ダウンリンクデータをバッファリングし、ステップ２を続ける前にタイマが満了するまで待機する。そのＵＥについてのＤＬ−ＴＥＩＤ及びｅＮｏｄｅＢのアドレスがタイマの満了前に受信されると、タイマは取り消されるものとし、ネットワークによりトリガされるサービス要求手順は以下のステップを実行することなく終了する。即ち、ＤＬデータがＵＥに送信される。
【００２４】
ＳＧＷは、タイマの満了前に、このＵＥについてのさらなるダウンリンクデータパケットを受信する場合に、このタイマを再開しない。
【００２５】
２０２−２０５．  ＳＧＷは、ダウンリンクデータ通知メッセージをＭＭＥ及びＳＧＳＮノードへ送信する。当該ＭＭＥ及びＳＧＳＮノードのために、ＳＧＷは、与えられたＵＥについての制御プレーンの接続性を有する。ＭＭＥ及びＳＧＧＮは、ダウンリンクデータ通知確認応答（Ａｃｋ）メッセージでＳＧＷに応答する。
【００２６】
ＳＧＷが、このＵＥについてのさらなるデータパケットを受信する場合に、ＳＧＷは、これらのダウンリンクデータパケットをバッファリングする。そして、ＳＧＷは、新たなダウンリンクデータ通知を送信しない。
【００２７】
２０６．ＵＥが、ＭＭＥの中で登録されている場合に、ＭＭＥは、（ページングについてのＮＡＳ  ＩＤ、ＴＡＩ、ＵＥのＩＤに基づくＤＲＸ（不連続受信）インデックス、ページングのＤＲＸの長さについてのエントリを含む）ページングメッセージを、ＵＥが登録されているトラッキングエリアに属する各ｅＮｏｄｅＢに送信する。当該ステップは、ＴＳ３６．３００及びＴＳ３６．４１３の中で詳細に説明されている。ステップ２０６−２０９は、ＭＭＥがＵＥへのＳ１−ＭＭＥ上のシグナリング接続を既に有する場合に省略される。
【００２８】
２０７．ＵＥがＳＧＳＮの中で登録されている場合に、ＳＧＳＮは、ページングメッセージをＲＮＣ／ＢＳＳを送信する。これは、ＴＳ２３．０６０の中で詳細に説明されている。
【００２９】
２０８．ｅＮｏｄｅＢがページングメッセージをＭＭＥから受信する場合に、ＵＥは、ｅＮｏｄｅＢによりページングを行われる。当該ステップは、ＴＳ３６．３００及びＴＳ３６．３０４の中で詳細に説明されている。
【００３０】
２０９．ＲＮＣ／ＢＳＳ／ＢＳＣノードが、ＳＧＳＮからページングメッセージを受信する場合に、ＵＥは、ＲＮＣ／ＢＳＳ／ＢＳＣによりページングを行われる。これは、ＴＳ２３．０６０の中で詳細に説明されている。
【００３１】
２１０．Ｅ−ＵＴＲＡＮアクセスにおけるページング指標の受信に基づいて、ＵＥは、ＵＥによりトリガされるサービス要求手順を開始する。これは、ＴＳ２３．４０１の中の５．３．４．１節の中で規定されている。ＵＴＲＡＮ又はＧＥＲＡＮアクセスにおけるページング指標の受信に基づいて、ＵＥは、ＴＳ２４．００８に規定されるようにそれぞれのアクセスにおいて応答し、ＳＧＳＮは、ＳＧＷに通知するものとする。
【００３２】
ＭＭＥ及び／又はＳＧＳＮは、タイマでページング手順を監視する。ＭＭＥ及び／又はＳＧＳＮは、ページング要求メッセージへのＵＥからのいずれの応答も受信しない場合に、ページングを反復し得る。反復方策は、運用者に依存する。
【００３３】
ＭＭＥ及び／又はＳＧＳＮは、このページングの反復手順の後にＵＥからのいずれの応答も受信しない場合に、ダウンリンクデータ通知拒否メッセージを使用して、ＳＧＷにページングの失敗を通知するものとする。その場合に、ＩＳＲが有効化されていなければ、ＳＧＷはバッファリングされたパケットを削除する。ＩＳＲが有効化され、ＳＧＷがＳＧＳＮ及びＭＭＥからページングの失敗を受信する場合に、ＳＧＷは、バッファリングされたパケットを削除し、又はサービス要求手順をトリガする制御シグナリングを拒否する。
【００３４】
２１１．ＩＳＲが有効化され、Ｅ−ＵＴＲＡＮアクセスにおいてページング応答が受信されると、ＳＧＷは「ページング停止」メッセージをＳＧＳＮへ送信する。
【００３５】
２１２．ＩＳＲが有効化され、ＵＴＲＡＮアクセス又はＧＥＲＡＮアクセスにおいてページング応答が受信されると、ＳＧＷは「ページング停止」メッセージをＭＭＥへ送信する。
【００３６】
２１３−２１４．ＳＧＷは、どの構成が存在するかに応じてページング応答が受信されたＲＡＴのみを介してダウンリンクデータをＵＥへ送信する。
【００３７】
ダウンリンクデータは、モードが接続モードに変更されると転送され得る。
【００３８】
上記ステップ２０６で、異なる基準及びシナリオに応じて各ＵＥにどのようにページングを行うべきかを処理するＭＭＥにおけるフレームワークをまず生成することにより、ページングの区別のソリューションが提供され得る。これらの選択基準及びシナリオは、後述される。ＭＭＥは、ＳＧＷからＭＭＥへのダウンリンクデータ通知メッセージにおける拡張から反応する。この拡張は、より詳細に後述される。
【００３９】
ＭＭＥが、ＵＥについてのダウンリンクデータが送信のために待機していることを通知されると、ページングメッセージは、ＵＥの状態を遊休状態から接続状態へ変えるために、ＵＥに向かってダウンリンクで送信されべきである。ページング手順に起因する基盤上の負荷を減らすために、選択基準及び望ましいページング粒度を含むフレームワークが、ＭＭＥの中で提供され得る。選択基準は、アクセスポイントネーム（ＡＰＮ）、サービス品質（ＱｏＳ）クラス識別子（ＱＣＩ）、国際移動体装置識別番号（ＩＭＥＩＮＳ：International  Mobile  Equipment  Identity  Number  Series）、及び国際移動体加入者識別番号（International  Mobile  Subscriber  Identity  Number  Series）の組合せに基づき得る。選択基準に基づいて、望ましい粒度が提供され得る。当該粒度は、ｅＮｏｄｅＢ（ｅＮＢ）、トラッキングエリア（ＴＡ）、ＴＡ識別子（ＴＡＩ）リストの一部、及びＴＡＩリストの組合せを含み得る。さらに、フレームワークは、再送信数及び再送信間隔についての情報を含み得る。
【００４０】
要約すると、少なくとも以下の基準を伴うフレームワークが、ＭＭＥの中で提供され得る。
１）選択基準：
以下を含む。
ＡＰＮ、
ＱＣＩ、
ＩＭＥＩＮＳ、
ＩＭＳＩＮＳ
２）望ましい粒度：
以下を含む。
ｅＮｏｄｅＢ（進化したＮｏｄｅＢ）
ＴＡ（トラッキングエリア）
ＴＡＩリストの一部（ＴＡ識別子リスト）
ＴＡリスト
３）再送信数
４）再送信間隔
【００４１】
これは、運用者に、最新のネットワークトポロジの状況に従ってページングの負荷を適合する柔軟な手法を有することを可能にする。
【００４２】
フレームワークの構成は、ＣＬＩ（コマンドラインインターフェース）又はＭＭＩ（マンマシンインターフェース）のいずれかを使用して行われ得る。
【００４３】
結果は、例えばこのように見える２つのテーブルであるが、これらは説明のために示されるテーブルの例示にすぎないということが理解されるべきである。
【００４４】
【表１】
2013504234.tif 000003
【００４５】
【表２】
2013504234.tif 000004
【００４６】
これを可能にするために、状況を正しく処理するための情報をＭＭＥに提供するために、情報がＳＧＷからＭＭＥへ送信されるべきである。そして、これを行うための手法の２つの候補がある。
１．プライベート拡張を使用するベンダ／運用者のための所有者のソリューション（後述のメッセージを参照）又は
２．３ＧＰＰ  ＴＳ２９．２７４における標準メッセージを更新すること
【００４７】
ダウンリンクデータ通知メッセージは、３ＧＰＰ  ＴＳ２９．２７４の中で説明されている。ダウンリンクデータ通知メッセージは、ネットワークによりトリガされるサービス要求手順の一部として、ＳＧＷによりＳ１１インターフェース上でＭＭＥへ送信されるものとする。上記メッセージは、Ｓ４上での確立されたユーザプレーンを伴わないページング、即ちＳＧＷによりトリガされるＳ４でのページングの一部として、ＳＧＷによりＳ４インターフェース上でＳＧＳＮへも送信されるものとする。
【００４８】
以下のテーブル３は、メッセージの中のＩＥの存在を規定する。
【００４９】
【表３】
2013504234.tif 000005
【００５０】
ソリューション１は、既に存在する情報要素（ＩＥ）のプライベート拡張を使用することである。しかしながら、これは、単一のベンダネットワークについてのみ機能する。単一のベンダネットワークは、単一のベンダにより供給されるノードを含む。即ち、全てのノードは、同一のベンダにより作られ、したがって、望まれれば所有者のインターフェース及びソリューションで機能し得る。
【００５１】
ソリューション２は、ダウンリンクデータ通知メッセージにＩＥを加えることである。したがって、ダウンリンクデータ通知メッセージは、このように見える。
【００５２】
【表４】
2013504234.tif 000006
【００５３】
この第２のソリューションでは、別個のＥＰＳベアラＩＤの情報要素が使用されて、ＳＧＷがＵＥについてのダウンリンクペイロードを受信したこと、及びＵＥのモードが変更されるべきであることが、シグナリングされる。ソリューション２は、全てのベンダネットワーク内で使用することを可能にする。
【００５４】
本発明に従ったソリューションは、図３において示されるような３ＧＰＰに基づくネットワーク３００内で提供され得る。３ＧＰＰネットワークは、コアネットワーク部分及びＥ−ＵＴＲＡＮアクセスネットワーク部分３０１を含み得る。コアネットワーク部分は、移動性管理エンティティ（ＭＭＥ）１０５、サービングゲートウェイ（ＳＧＷ）１０６、パケットデータネットワークゲートウェイ（ＰＧＷ）１０７、ポリシー及び課金ルール機能ノード（ＰＣＲＦ）３０２、及びホーム加入者サーバ（ＨＳＳ）３０４を含み得る。ＭＭＥは、Ｓ１−ＭＭＥインターフェースを介してアクセスネットワーク３０１と通信し、Ｓ３インターフェースを介してサービングＧＰＲＳサポートノード（ＳＧＳＮ）１０９と通信し、Ｓ６ａインターフェースを介してＨＳＳと通信し、Ｓ１１インターフェースを介してＳＧＷと通信する。同様に、ＳＧＷは、Ｓ１−Ｕインターフェースを介してアクセスネットワーク３０１と接続され、Ｓ４インターフェースを介してＳＧＳＮと接続され、Ｓ５インターフェースを介してＰＧＷと接続される。さらに、ＳＧＷは、ＵＴＲＡＮに基づくアクセスネットワーク３０６に接続される。ＳＧＳＮ１０９は、ＵＴＲＡＮに基づくアクセスネットワーク及びＧＥＲＡＮに基づくアクセスネットワーク３０５にも接続される。ＰＧＷは、Ｇｘインターフェースを介してＰＣＲＦに接続される。また、ＰＧＷの各々及びＰＣＲＦは、それぞれＳＧｉインターフェース及びＲｘインターフェースを介して運用者ＩＰサービスに接続される。運用者ＩＰサービスは、例えば、ＩＭＳ及びＰＳＳを含み得る。ＵＥ１０１は、ＬＴＥ−Ｕｕインターフェースを介してＥ−ＵＴＲＡＮアクセスネットワークに接続される。
【００５５】
本発明に従ったソリューションは、図４において説明されるような、ＭＭＥ等のコアネットワークノード４００に関与する。コアネットワークノード４００は、プロセッサ４０１、コンピュータにより読み取り可能な記憶媒体４０２、及び少なくとも１つの通信インターフェース４０４を備える。オプションで、ノード４００は、ユーザインターフェース４０３を備える。プロセッサは、ページングのために使用される情報要素を処理する等、本発明に従ったステップを処理するための、メモリの中に記憶されるコンピュータソフトウェアコードの命令セットを実行するように構成される。本発明は、ＳＧＷ又はＷＧＳＮ等の移動性管理ノードにも関与する。当該移動性管理ノードは、同様のユニット、即ち、少なくとも１つのプロセッサ、メモリ、及び通信インターフェースを含む。これらのノードは、当該同様のコンポーネントで作られるので、図４は、これらのノードを説明するために再使用され得る。ＳＧＷは、ＵＥの位置についての情報を含むメッセージを提供する。このメッセージは、ページングプロセスの一部として提供され、ネットワーク内で信号として送信される。基盤ネットワークは、例えば図１及び図３の中で示されるように、高レベルのノードとして他のネットワークノードをさらに含む。さらに、ネットワークは、制御トラフィック及びデータトラフィックを送信するための基本的なネットワークルーティング要素及びネットワークスイッチング要素を含み得る。
【００５６】
要するに、無線通信ネットワーク内のユーザ機器のモードを変更することを容易にする方法は、以下のように要約され得る：当該方法は、
ユーザ機器、即ちＵＥのモードが遊休モードから接続モードへ変更されるべきかを判定するステップと；
コアネットワークノードにおけるページングプロセスで使用されるメッセージを提供するステップと；
通信ネットワーク内でのＵＥの位置に関連する情報を含む情報要素、即ちＩＥをメッセージの中で提供するステップと；
位置情報は、ページングプロセスを実行するために使用されることと；
を含む。
【００５７】
この文書の中で言及される参照文献は、参照によりこの文書に組み込まれる。
【００５８】
コンピュータプログラムはプロセッサにより実行され得るいずれかの種類の命令セットを意味するということに留意すべきである。コンピュータプログラムは、ソフトウェアの命令セット、又は、例えばマイクロプロセッサ、ＣＰＵ、ＦＰＧＡ（field  programmable  gate  array）、ＡＳＩＣ（application  specific  integrated  circuit）若しくは同様の装置等の処理装置の種類に応じたハードウェアの命令セットであり得る。
【００５９】
コンピュータにより読み取り可能な記憶媒体は、処理装置によりアクセス可能ないずれかの種類の記憶媒体を意味し、当該記憶媒体は、揮発性及び／又は不揮発性であり得る。
【００６０】
用語「含む」は、一覧化された要素若しくはステップ以外の他の要素又はステップの存在を除外せず、要素の前の単語「a」又は「an」は、複数の要素の存在を除外しない、ということに留意すべきである。いずれの参照記号も請求項の範囲を限定しないこと、本発明はハードウェア及びソフトウェアの両方によって少なくとも一部実装され得ること、及び、いくつかの「手段（means）」又は「ユニット（unit）」はハードウェアの同様の項目により表され得ることが、さらに留意されるべきである。
【００６１】
開示された発明の変更及び他の実施形態は、上述の説明及び関連付けられる図面の中に存在する教示の利益を有する当業者の頭に思い浮かぶであろう。したがって、本発明は開示される特定の実施形態に限定されるべきではなく、変更及び他の実施形態はこの開示の範囲内に含まれるよう意図されている、ということを理解すべきである。特定の項目が、本明細書において用いられ得るが、当該特定の項目は、限定のためではなく一般的な及び説明の意味のみで使用される。
【００６２】
上述した実施形態は、例示としてのみ与えられ、本発明を限定すべきではない。後述の実施形態において例示されるような本発明の範囲内の他のソリューション、使用、目的、及び機能は、当業者にとって明らかであろう。
【００６３】
略語
ＡＰＮ          アクセスポイントネーム
ＡＰＮ−ＮＩ    アクセスポイントネームネットワーク識別子
ＡＰＮ−ＯＩ    アクセスポイントネーム運用者識別子
ＡＲＰ          割り当て及び反復優先度
ＢＳＣ          基地局コントローラ
ＢＳ            基地局
ＢＳＳ          基地局システム
ＣＬＩ          コマンドラインインターフェース
ＣＰＵ          中央処理装置
ＣＳＧ  ＩＤ    限定（closed）加入者グループＩＤ
ＣＳＧ          限定加入者グループ
ＤＢ            データベース
ＥＢＩ          ＥＰＳベアラＩＤ
ＥＣＧＩ        Ｅ−ＵＴＲＡＮセルグローバル識別子
ＥＣＭ          ＥＰＳ接続管理
ＥＤＧＥ        Enhanced  Data  rates  for  GSM  Evolution
ＥＭＭ          ＥＰＳ移動性管理
ｅＮＢ          進化した（Evolved）ＮｏｄｅＢ
ｅＮｏｄｅＢ    進化したＮｏｄｅＢ
ＥＰＣ          進化したパケットコア
ＥＰＳ          進化したパケットシステム
Ｅ−ＲＡＢ      Ｅ−ＵＴＲＡＮ無線アクセスベアラ
Ｅ−ＵＴＲＡＮ  Evolved  Universal  Terrestrial  Radio  Access  Network
ＧＥＲＡＮ      ＧＳＭ／ＥＤＧＥ無線アクセスネットワーク
Ｇ−ＰＤＵ      ＧＴＰ−Ｕ非シグナリングＰＤＵ
ＧＰＲＳ        汎用パケット無線サービス
ＧＳＭ          Global  System  for  Mobile  communications
ＧＴＰ          ＧＰＲＳトンネリングプロトコル
ＧＵＭＭＥＩ    グローバル一意ＭＭＥ識別子
ＧＵＴＩ        グローバル一意一時識別子
ＧＷ            ゲートウェイ
ＨＳＳ          ホーム加入者サーバ
ＩＥＥＥ        電気電子技術者協会
ＩＭＥＩＮＳ    国際移動体装置識別番号
ＩＭＳＩ        国際移動体加入者識別子
ＩＭＳＩＮＳ    国際移動体加入者識別子番号
ＩＰ            インターネットプロトコル
ＩＳＲ          遊休モードシグナリング削減
ＬＴＥ          Long  Term  Evolution
ＭＢＲ          最大ビットレート
ＭＥＩ          移動体装置ＩＤ
ＭＭＥ          移動体管理エンティティ
ＭＭＥＣ        ＭＭＥ符号
ＭＭＩ          マンマシンインターフェース
ＭＳＩＳＤＮ    移動体加入者ＩＳＤＮ番号
ＮＡＫ          否定確認応答
ＮＡＳ          非アクセス層（Stratum）
ＰＣＣ          ポリシー及び課金制御
ＰＤＣＰ        ポリシー及び課金ルール機能
ＰＤＣＰ        パケットデータコンバージェンスプロトコル
ＰＤＮ          パケットデータネットワーク又は公衆パケットネットワーク
ＰＤＮ−ＧＷ    パケットデータネットワークゲートウェイ
ＰＤＵ          プロトコルデータユニット
ＰＷＧ          ＰＤＮゲートウェイ
ＰＭＩＰ        プロキシモバイルＩＤ
ＱＣＩ          ＱｏＳクラス識別子
ＱｏＳ          サービス品質
ＲＡＴ          無線アクセス技術／種類
ＲＣＩ          ＲＡＴ接続情報
ＲＩＭ          ＲＡＮ情報管理
ＲＮＣ          無線ネットワークコントローラ
ＲＮＳ          無線ネットワークシステム
Ｒｘ            受信
ＳＧＳＮ        サービングＧＰＲＳサポートノード
ＳＧＷ          サービングゲートウェイ
Ｓ−ＴＭＳＩ    Ｓ−一時移動体加入者ＩＤ
ＴＡ            トラッキングエリア
ＴＡＣ          トラッキングエリア符号
ＴＡＤ          トラフィック集約（Aggregate）記述
ＴＡＩ          トラッキングエリアＩＤ
ＴＡＵ          トラッキングエリア更新
ＴＥＩＤ        トンネリング端点識別子
ＴＥＩＤ−Ｃ    トンネリング端点識別子、制御プレーン
ＴＥＩＤ−Ｕ    トンネリング端点識別子、ユーザプレーン
ＴＦＴ          トラフィックフローテンプレート
Ｔｘ            送信
ＵＤＰ          ユーザデータグラムプロトコル
ＵＥ            ユーザ機器
ＵＬ  ＴＦＴ    アップリンクトラフィックフローテンプレート
ＵＴＲＡＮ      Universal  Terrestrial  Radio  Access  Network
ＷＣＤＭＡ      広帯域符号分割多元接続
【００６４】
参照文献及び定義
３ＧＰＰ  ＴＳ２３．４０１
ＭＭＥプールエリア：ＭＭＥプールエリアは、サービングＭＭＥを変更する必要なくＵＥがサービスを提供され得るエリアとして定義される。ＭＭＥプールエリアは、１つ以上のＭＭＥ（「ＭＭＥのプール」）により並行してサービスを提供される。ＭＭＥプールエリアは、完全なトラッキングエリアの集合である。ＭＭＥプールエリアは、互いに重複し得る。
ＳＧＷサービスエリア：ＳＧＷサービスエリアは、ＳＧＷを変更剃る必要なくＵＥがサービスを提供され得るエリアとして定義される。ＳＧＷサービスエリアは、１つ以上のＳＧＷにより並行してサービスを提供される。ＳＧＷサービスエリアは、完全なトラッキングエリアの集合である。ＳＧＷサービスエリアは、互いに重複し得る。
ＰＤＮ接続：１つのＩＰｖ４アドレス及び／又はＩＰｖ６プレフィクスにより表されるＵＥと、ＡＰＮにより表されるＰＤＮとの間の関連性。
デフォルトベアラ：新たなＰＤＮ接続について最初に確立され、ＰＤＮ接続の存続期間を通して確立されたままであるＥＰＳベアラ。
デフォルトＡＰＮ：デフォルトＡＰＮは、加入者データの中でデフォルトとして示され、いずれのＡＰＮもＵＥにより提供されない場合に結合（Attach）手順及びＵＥにより要求されるＰＤＮ接続手順の間に使用される、ＡＰＮとして定義される。
【００６５】
ＥＰＳ移動性管理状態及び接続管理状態
ＥＰＳ移動性管理（ＥＭＭ）状態は、結合（Attach）手順、トラッキングエリア更新手順等の移動性管理手順から生じる移動性管理状態を説明する。
２つのＥＭＭ状態がこの文書で説明される。
−ＥＭＭ−登録抹消（DEREGISTERED）
−ＥＭＭ−登録（REGISTERED）
【００６６】
ＥＭＭ登録抹消状態では、ＭＭＥにおけるＥＭＭコンテキストは、ＵＥについてのいずれの有効な位置情報又はルーティング情報も保持しない。ＵＥの位置が未知であるので、ＵＥは、ＭＭＥにより到達可能ではない。ＥＭＭ登録抹消状態では、例えば各結合手順の間にＡＫＡ手順を実行することを回避するために、いくつかのＵＥコンテキストがＵＥ及びＭＭＥにおいてまだ記憶されていることも可能である。ＵＥは、Ｅ−ＵＴＲＡＮ又はＧＥＲＡＮ／ＵＴＲＡＮのいずれかへの結合手順での登録成功により、ＥＭＭ−登録状態に入る。ＧＥＲＡＮ／ＵＴＲＡＮからの、ＵＥの選択するＥ−ＵＴＲＡＮセルについてのトラッキングエリア更新手順の成功により、又はＥ−ＵＴＲＡＮを介した結合手順により、ＭＭＥはＥＭＭ−登録状態に入る。ＥＭＭ−登録状態では、ＵＥは、ＥＰＳにおける登録を要求するサービスを受信することができる。
【００６７】
ＵＥとネットワークとの間のいずれのＮＡＳシグナリング接続も存在しない場合に、ＵＥはＥＣＭ−遊休状態にある。
【００６８】
ＥＣＭ接続状態では、ＵＥの位置は、サービングｅＮｏｄｅＢのＩＤの精度でＭＭＥにおいて既知である。ＵＥの移動性は、ハンドオーバ手順により処理される。
ＥＭＭシステム情報の中のＴＡＩが、ＵＥがネットワークに登録したＴＡのリストの中にない場合、又は、ＵＥがＥ−ＵＴＲＡＮセルへハンドオーバし、ＵＥのＴＩＮが「Ｐ−ＴＭＳＩ」を示す場合に、ＵＥは、トラッキングエリア更新手順を実行する。
ＥＣＭ−接続状態のＵＥについて、ＵＥとＭＭＥとの間にはシグナリング接続が存在する。シグナリング接続は、２つの部分からなる。即ち、ＲＲＣ接続及びＳ１＿ＭＭＥ接続である。
ＵＥは、そのＭＭＥへのシグナリング接続が解放され又は切れると、ＥＣＭ−遊休状態へ入るものとする。この解放又は失敗は、ｅＮｏｄｅＢによりＵＥへ明示的に示され、又はＵＥにより検出される。
Ｓ１解放手順は、ＵＥ及びＭＭＥの両方における状態をＥＣＭ接続からＥＣＭ遊休へと変更する。
３ＧＰＰ  ＴＳ２９．２７４
【図１】
2013504234.tif 000007
【図２】
2013504234.tif 000008
【図３】
2013504234.tif 000009
【図４】
2013504234.tif 000010
【国際調査報告】
2013504234.tif 000011
2013504234.tif 000012
2013504234.tif 000013
2013504234.tif 000014
2013504234.tif 000015
2013504234.tif 000016